(57)【要約】      （修正有）【課題】厚みの異なるスキャン対象に適応可能な調整可能式スキャナーを提供する。【解決手段】調整可能式スキャナーは底台、第一接触式センサー２０、上蓋、第二接触式センサー４０を有する。第一接触式センサー２０は底台上に取り付けられ、底台上表面に露出する。上蓋は底台上に取り付けられ、第一接触式センサー２０の上方に位置する。第二接触式センサー４０は上下に移動するように、上蓋上に取り付けられ、上蓋の下表面に露出し、第一接触式センサー２０の真上において、第二接触式センサー４０と第一接触式センサー２０との間の大きさを調節可能なスキャン通路７０を形成する。これにより厚みの異なるスキャン対象に適応可能となり、使用者のさまざまなニーズに応えることができる。【選択図】図９
0003204815.tif 000002
【実用新案登録請求の範囲】
【請求項１】
調整可能式スキャナーであって、底台、第一接触式センサー、上蓋、第二接触式センサーを有し、
前記第一接触式センサーは、前記底台上に取り付けられ、前記底台上表面に露出し、
前記上蓋は、前記底台上に取り付けられ、前記第一接触式センサーの上方に位置し、
前記第二接触式センサーは、上下に移動するように、前記上蓋上に取り付けられ、前記上蓋の下表面に露出し、前記第一接触式センサーの真上において、前記第二接触式センサーと前記第一接触式センサーとの間の大きさを調節可能なスキャン通路を形成することを特徴とする調整可能式スキャナー。
【請求項２】
前記上蓋は、内蓋を有し、
前記内蓋は、前記第一接触式センサーの上方において、前記底台上に枢接され、前記内蓋下表面の中央は、前記第一接触式センサーの真上において、左右延伸を呈する取り付け凹槽を上方へと陥没上に設置し、前記内蓋は、前記取り付け凹槽の頂壁上に、少なくとも２個の前後配列を呈する貫通孔を開設し、
前記第二接触式センサー上端の前後両側には共に、導引ブロックを設置し、前記第二接触式センサーは、上下に移動するように、前記内蓋上の取り付け凹槽内に取り付けられ、前記内蓋の下表面に露出し、前記両側の導引ブロックは、対応する貫通孔内にそれぞれ収容され、
前記調整可能式スキャナーは、２個のバネと調節スイッチをさらに有し、
前記２個のバネは、それぞれ前記第二接触式センサーと前記内蓋との間に弾力接触し、
前記調節スイッチは、左右に延伸する基板を有し、前記基板下表面の前後両側には共に、少なくとも１個のアップリフトブロックを設置し、
前記基板は、左右にスライドするように、前記内蓋上に取り付けられ、前記取り付け凹槽の上表面に対応し、
前記各アップリフトブロックは前記貫通孔内にそれぞれ収容され、しかも前記導引ブロック片側の下方に位置し、前記基板を弾き片側へと移動させ、前記アップリフトブロックは、前記導引ブロックへと移動し、前記アップリフトブロックを上方へと移動させ、前記導引ブロックは、前記第二接触式センサーを連動し、前記第一接触式センサーを連動して上方へと移動させ、バネを圧縮し、前記基板を戻し、前記バネは前記第二接触式センサーに弾力接触し、初期位置へと戻すことを特徴とする請求項１に記載の調整可能式スキャナー。
【請求項３】
前記第二接触式センサーは、本体部と中空の固定サポートフレームを有し、
前記導引ブロックは、前記固定サポートフレーム上端の前後両側に設置され、
前記本体部は、前記固定サポートフレーム内に固定状に設置され、
前記固定サポートフレームは、上下に移動するように、前記取り付け凹槽内に取り付けられることを特徴とする請求項２に記載の調整可能式スキャナー。
【請求項４】
前記取り付け凹槽の左右両側壁上には共に、位置限定ブロックを突出状に設置し、
前記固定サポートフレームは、底板を有し、前記底板頂面の左右両側には、それぞれ第一側壁を上方へと突出し、両側の第一側壁上には共に、位置限定孔を開設し、
前記両側の第一側壁は、前記位置限定孔により、それぞれ上下に移動するように、前記位置限定ブロック上に取り付けられ、前記底板の底面は、前記内蓋の下表面に露出することを特徴とする請求項３に記載の調整可能式スキャナー。
【請求項５】
前記底板頂面の前後両側にはさらに、それぞれ第二側壁を上方へと突出し、前記底板と前記第一側壁と第二側壁は、取り囲んで、収容空間を形成し、前記底板の中央には、通孔を開設し、
前記本体部は、前記収容空間内に取り付けられ、前記本体部の下表面は、前記通孔を通過し、前記底板の底面とフラットとなることを特徴とする請求項４に記載の調整可能式スキャナー。
【請求項６】
前記両側の第二側壁上には、それぞれ相対して上方へと、少なくとも１個の延伸アームを突出し、
前記両側の導引ブロックは、２個の延伸アームの相対面の上端にそれぞれ連接し、
前記各延伸アームと前記導引ブロックは、対応する貫通孔内に収容されることを特徴とする請求項５に記載の調整可能式スキャナー。
【請求項７】
前記基板の前後両側には共に、少なくとも１個の欠口を開設し、
前記アップリフトブロックは、Ｌ形を呈し、前記各アップリフトブロックは共に、前記欠口に連接する片側壁の縦方向部を有し、前記縦方向部は前記基板の下表面に伸び出し、前記縦方向部の下端縁には、前記欠口内へと延伸する横方向部を連接し、前記横方向部の自由端には、傾斜面を設置し、
前記導引ブロックの底面は、階段状を呈し、係止面、前記係止面下方に位置し水平を呈するホールディング面、前記係止面と前記ホールディング面との間に連接する傾斜した導引面を有し、
前記横方向部の自由端は、前記係止面の下方に位置し、
前記基板を動かすと、前記アップリフトブロックは、前記傾斜面より前記導引面に沿って片側へ、前記第二水平面までスライドし、前記横方向部の上表面に接触することを特徴とする請求項６に記載の調整可能式スキャナー。
【請求項８】
前記横方向部と前記縦方向部と前記欠口の内側壁との間には、強化板を連接することを特徴とする請求項７に記載の調整可能式スキャナー。
【請求項９】
前記内蓋の上表面は、前記取り付け凹槽位置に対応し、スイッチ収容槽を開設し、
前記各貫通孔は、前記スイッチ収容槽位置に開設され、
前記基板は、左右にスライドするように、前記スイッチ収容槽内に取り付けられることを特徴とする請求項２に記載の調整可能式スキャナー。
【請求項１０】
前記基板上には、少なくとも１個のカウンターシンクスライド孔を開設し、
前記スイッチ収容槽内には、少なくとも１個の位置限定ネジを設置し、
前記カウンターシンクスライド孔は、左右にスライドするように、前記位置限定ネジ上に取り付けられることを特徴とする請求項９に記載の調整可能式スキャナー。
【請求項１１】
前記上蓋は外蓋をさらに有し、
前記外蓋は、前記内蓋上に蓋をして設置し、前記外蓋上には、開孔を開設し、
前記基板上表面の片側には、上方へと弾きブロックを突出し、前記弾きブロックは、左右にスライドするように、前記開孔内に収容されることを特徴とする請求項２に記載の調整可能式スキャナー。
【考案の詳細な説明】
【技術分野】
【０００１】
本考案はスキャナーに関し、特にスキャン通路の大きさを調整できる調整可能式スキャナーに関する。
【背景技術】
【０００２】
従来のスキャナーは、底台、第一接触式センサー（Ｃｏｎｔａｃｔ  Ｉｍａｇｅ  Ｓｅｎｓｏｒ、ＣＩＳ）、上蓋、第二接触式センサーを有する。
第一接触式センサーは、底台上に取り付け、上蓋は、底台上の第一接触式センサーの上方に枢接する。
第二接触式センサーは、上蓋の下表面に固定するように取り付け、第一接触式センサーとの間に、固定されたスキャン通路を形成する。
これにより、スキャン対像を通過させ、スキャンを行う。
【０００３】
しかし、スキャン対象はそれぞれ厚みが異なる。
特に紙、キャッシュカード等では、その厚みの差はとても大きい。
もし、固定されたスキャン通路が小さければ、厚いカード、特にキャッシュカードのように上面に凸字があるプラスチックカードがスキャン通路に進入すると、第一接触式センサー及びび第二接触式センサーとの摩擦が大きくなり、進入がスムーズにいかず、或いは歪むなどの状況が発生し、有効なスキャンを行うことができない。
一方、固定されたスキャン通路が大きければ、薄い紙がスキャン通路に進入しスキャンされる時、紙と第二接触式センサーとの間隔距離が大きくなり過ぎ、画像の焦点がずれてしまう。
【０００４】
よって、スキャン通路の大きさを調節できる調整可能式スキャナーが求められている。
【考案の概要】
【考案が解決しようとする課題】
【０００５】
本考案の目的は、スキャン通路の大きさを調節可能で、使用者のニーズに応えることができる調整可能式スキャナーを提供することにある。
【課題を解決するための手段】
【０００６】
本考案による調整可能式スキャナーは、底台、第一接触式センサー、上蓋、第二接触式センサーを有する。
該第一接触式センサーは、該底台上に取り付けられ、該底台上表面に露出する。
該上蓋は、該底台上に取り付けられ、該第一接触式センサーの上方に位置する。
該第二接触式センサーは、上下に移動するように、該上蓋上に取り付けられ、該上蓋の下表面に露出する。
該第一接触式センサーの真上において、該第二接触式センサーと該第一接触式センサーとの間の大きさを調節可能なスキャン通路を形成する。
【考案の効果】
【０００７】
本考案による調整可能式スキャナーは、第二接触式センサーを上下に移動するように上蓋上に取り付け、第一接触式センサーの真上において、第二接触式センサーと第一接触式センサーとの間の大きさを調節可能なスキャン通路を形成することで、厚みの異なるスキャン対象に適応可能となり、使用者のさまざまなニーズに応えることができる。
【図面の簡単な説明】
【０００８】
【図１】本考案による調整可能式スキャナーの実施形態の立体図である。
【図２】本考案による調整可能式スキャナーの第一接触式センサーを底台上に取り付けた立体図である。
【図３】本考案による調整可能式スキャナーの上蓋、第二接触式センサー、調節スイッチ、バネ、位置限定ネジの立体分解図である。
【図４】本考案による調整可能式スキャナーの内蓋の立体図である。
【図５】本考案による調整可能式スキャナーの固定サポートフレームの立体図である。
【図６】本考案による調整可能式スキャナーの調節スイッチの立体図である。
【図７】図６に示す調節スイッチの別の角度の立体図である。
【図８】本考案による調整可能式スキャナーの第二接触式センサー及びその調節スイッチを内蓋上に取り付けた立体図である。
【図９】本考案による調整可能式スキャナーの第一接触式センサー、第二接触式センサー、調節スイッチの調節前の模式図である。
【図１０】図９に示す本考案による調整可能式スキャナーのＸ部分の拡大図である。
【図１１】本考案による調整可能式スキャナーの第一接触式センサー、第二接触式センサー、調節スイッチの調節後の模式図である。
【図１２】図１１に示す本考案による調整可能式スキャナーのＸＩＩ部分の拡大図である。
【考案を実施するための形態】
【０００９】
図１、図２、図３に示す通り、本考案調整可能式スキャナー１００は、底台１０、第一接触式センサー２０、上蓋３０、第二接触式センサー４０、調節スイッチ５０、２個のバネ６０を有する。
【００１０】
図１〜図４、図８に示す通り、第一接触式センサー２０は、底台１０上に取り付けられ、底台１０の上表面に露出する。
【００１１】
上蓋３０は、底台１０上に取り付けられ、第一接触式センサー２０の上方に位置する。
具体的には、上蓋３０は、内蓋３１と外蓋３２を有する。
内蓋３１は、第一接触式センサー２０の上方において底台１０上に枢接される。
内蓋３１下表面の中央は、第一接触式センサー２０の真上において、左右延伸を呈する取り付け凹槽３１１を上方へと陥没上に設置する。
取り付け凹槽３１１の左右両側壁上には共に、位置限定ブロック３１２を突出状に設置する。
内蓋３１の上表面は、取り付け凹槽３１１位置に対応し、スイッチ収容槽３１３を開設する。
スイッチ収容槽３１３内には、少なくとも１個の位置限定ネジ３１４を設置する。
【００１２】
取り付け凹槽３１１の頂壁上には、スイッチ収容槽３１３位置に対応し、少なくとも２個の前後配列を呈する貫通孔３１５を開設する。
具体的には、取り付け凹槽３１１の頂壁上には、スイッチ収容槽３１３位置に対応し、２組の左右配列を呈する貫通孔３１５を開設する。
各組貫通孔３１５は共に、２個の前後配列を呈する貫通孔３１５を有する。
外蓋３２は、内蓋３１上に蓋をして設置し、外蓋３２上には、開孔３２１を開設する。
【００１３】
図３、図５、図１０に示す通り、第二接触式センサー４０は、本体部４１と中空の固定サポートフレーム４２を有する。
【００１４】
固定サポートフレーム４２は、底板４２１を有する。
底板４２１の中央には、通孔４２２を開設する。
底板４２１頂面の左右両側には、それぞれ第一側壁４２３を上方へと突出する。
底板４２１頂面の前後両側には、それぞれ第二側壁４２４を上方へと突出する。
底板４２１と第一側壁４２３と第二側壁４２４は、取り囲んで、収容空間４２５を形成する。
両側の第一側壁４２３上には共に、位置限定孔４２６を開設する。
両側の第二側壁４２４上には、それぞれ相対して上方へと、少なくとも１個の延伸アーム４２７を突出する。
２個の延伸アーム４２７の相対面の上端には共に、導引ブロック４２８を連接する。
【００１５】
導引ブロック４２８の底面は、階段状を呈し、係止面４３、係止面４３下方に位置し水平を呈するホールディング面４４、係止面４３とホールディング面４４との間に連接する傾斜した導引面４５を有する。
具体的には、両側の第二側壁４２４上には共に、相対し上方へと２個の横方向配列を呈する延伸アーム４２７を突出状に設置する。
各延伸アーム４２７の相対面の上端には共に、導引ブロック４２８を連接する。
本体部４１は、固定サポートフレーム４２内に固定状に設置される。
具体的には、本体部４１は、収容空間４２５内に取り付けられる。
本体部４１の下表面は、通孔４２２を通過し、底板４２１の底面とフラットとなる。
【００１６】
図１乃至図５、図８、図９に示す通り、第二接触式センサー４０の固定サポートフレーム４２は、上下に移動するように、上蓋３０上に取り付けられ、上蓋３０下表面に露出し、それは第一接触式センサー２０の真上において、第二接触式センサー４０と第一接触式センサー２０との間に、調節可能なスキャン通路７０を形成する。
具体的には、固定サポートフレーム４２は、上下に移動可能なように内蓋３１上の取り付け凹槽３１１内に取り付けられる。
底板４２１の底面は、内蓋３１の下表面に露出する。
両側の第一側壁４２３は、位置限定孔４２６により、それぞれ上下に移動するように、位置限定ブロック３１２上に取り付けられる。
各延伸アーム４２７と導引ブロック４２８は、対応する貫通孔３１５内に収容される。
【００１７】
２個のバネ６０は、第二接触式センサー４０と内蓋３１との間に弾力接触する。
具体的には、２個のバネ６０は、それぞれ本体部４１の上表面と内蓋３１の下表面において突っ張る。
【００１８】
図６、図７に示す通り、調節スイッチ５０は、左右に延伸する基板５１を有する。
基板５１上表面の片側には、上方へと弾きブロック５２を突出する。
基板５１上には、少なくとも１個のカウンターシンクスライド孔５３を開設する。
基板５１下表面の前後両側には共に、少なくとも１個のＬ形を呈するアップリフトブロック５４を設置する。
【００１９】
具体的には、基板５１の前後両側には共に、２個の横方向配列を呈する欠口５５を開設する。
基板５１下表面の前後両側では、欠口５５位置に共に、Ｌ形を呈するアップリフトブロック５４を設置する。
各アップリフトブロック５４は共に、欠口５５の片側壁に連接する縦方向部５４１、縦方向部５４１の下端縁に連接し欠口５５内へと延伸する横方向部５４２を有する。
各横方向部５４２の自由端には共に、傾斜面５４３を設置する。
横方向部５４２と縦方向部５４１と欠口５５の内側壁との間には、強化板５６を連接する。
【００２０】
図１、図３、図４、図８乃至図１０に示す通り、調節スイッチ５０の基板５１は、左右スライドするように、第二接触式センサー４０の上方の内蓋３１上に取り付けられる。
弾きブロック５２は、左右にスライドするように、開孔３２１内に収容される。
【００２１】
具体的には、基板５１は、左右にスライドするように、取り付け凹槽３１１上方のスイッチ収容槽３１３内において、内蓋３１の上表面に取り付けられる。
カウンターシンクスライド孔５３は、左右にスライドするように、位置限定ネジ３１４上に取り付けられる。
位置限定ネジ３１４は、調節スイッチ５０の上方への移動を制限する。
各アップリフトブロック５４は、それぞれ貫通孔３１５内に収容され、しかも導引ブロック４２８片側の下方に位置する。
具体的には、横方向部５４２の自由端は、係止面４３の下方に位置する。
【００２２】
図１乃至図３、図５、図８〜図１２に示す通り、本考案による調整可能式スキャナー１００の作動原理は、以下の通りである。
上蓋３０を閉め、第一接触式センサー２０と第二接触式センサー４０との間に、スキャン通路７０を形成する。
横方向部５４２の自由端は、係止面４３の下方に位置し、片側へと調節スイッチ５０の弾きブロック５２を動かす。
基板５１は、カウンターシンクスライド孔５３より、位置限定ネジ３１４に沿って、片側へと移動する。
アップリフトブロック５４は、導引ブロック４２８へと移動し、アップリフトブロック５４を押して上方へと移動させる。
導引ブロック４２８は、固定サポートフレーム４２及び本体部４１を連動し、一緒に上方へと移動させる。
【００２３】
具体的には、アップリフトブロック５４は、傾斜面５４３より、導引面４５に沿って、片側へとホールディング面４４までスライドし、横方向部５４２の上表面に接触する。
これにより、第二接触式センサー４０は、第一接触式センサー２０に対して上方へと移動する。
こうして、第二接触式センサー４０と第一接触式センサー２０との距離は拡大し、スキャン通路７０は大きくなり、バネ６０は圧縮され、弾きブロック５２を弾き戻す。
これにより、基板５１は初期位置に戻り、ホールディング面４４は横方向部５４２の上表面から離れる。
バネ６０の弾力接触により、第二接触式センサー４０は、初期位置に戻る。
【００２４】
好ましくは、本考案による調整可能式スキャナー１００の第二接触式センサー４０と第一接触式センサー２０との間のスキャン通路７０の調節前の間隙は０．７ｍｍで、調節後の間隙は１．２ｍｍである。
【００２５】
上記を総合すると、本考案による調整式スキャナー１００は、第二接触式センサー４０は上下に移動するように上蓋３０上に取り付けられ、第一接触式センサー２０の真上に位置し、第二接触式センサー４０と第一接触式センサー２０との間には、大きさを調節可能なスキャン通路７０を形成する。
これにより、厚みの異なるスキャン対象に適応可能となり、使用者のさまざまなニーズに応えることができる。
【００２６】
前述した本考案の実施形態は本考案を限定するものではなく、よって、本考案により保護される範囲は後述される実用新案登録請求の範囲を基準とする。
【符号の説明】
【００２７】
１００  調整可能式スキャナー
１０  底台
２０  第一接触式センサー
３０  上蓋
３１  内蓋
３１１  取り付け凹槽
３１２  位置限定ブロック
３１３  スイッチ収容槽
３１４  位置限定ネジ
３１５  貫通孔
３２  外蓋
３２１  開孔
４０  第二接触式センサー
４１  本体部
４２  固定サポートフレーム
４２１  底板
４２２  通孔
４２３  第一側壁
４２４  第二側壁
４２５  収容空間
４２６  位置限定孔
４２７  延伸アーム
４２８  導引ブロック
４３  係止面
４４  ホールディング面
４５  導引面
５０  調節スイッチ
５１  基板
５２  弾きブロック
５３  カウンターシンクスライド孔
５４  アップリフトブロック
５４１  縦方向部
５４２  横方向部
５４３  傾斜面
５５  欠口
５６  強化板
６０  バネ
７０  スキャン通路
【図１】
0003204815.tif 000003
【図２】
0003204815.tif 000004
【図３】
0003204815.tif 000005
【図４】
0003204815.tif 000006
【図５】
0003204815.tif 000007
【図６】
0003204815.tif 000008
【図７】
0003204815.tif 000009
【図８】
0003204815.tif 000010
【図９】
0003204815.tif 000011
【図１０】
0003204815.tif 000012
【図１１】
0003204815.tif 000013
【図１２】
0003204815.tif 000014